(57)【要約】【課題】ユーザの意思に関係なく、不必要な通話相手情報までも登録してしまう。【解決手段】ＬＣＤ表示部１１Ｂを備えたＭＦＴ１１と、このＭＦＴを収容接続するＰＢＸ２０とを有する電話交換システム１であって、ＰＢＸは、ＭＦＴにて通話中の通話相手情報を検出する通話相手情報検出部５２と、この通話相手情報を通話中のＭＦＴのＬＣＤ表示部に表示させる表示制御部５３と、この通話中のＭＦＴからの登録操作を検出すると、この通話中のＭＦＴのＬＣＤ表示部に表示中の通話相手情報をＭＦＴ単位でＭＥＭ２６の履歴登録テーブル４２に登録するメモリ制御部５４とを有している。【選択図】  図８
2004194119.tif 000002
【特許請求の範囲】
【請求項１】
表示手段を備えた電話端末と、この電話端末を収容接続する電話交換機とを有する電話交換システムであって、
前記電話交換機を通じて、前記電話端末にて通話中の通話相手情報を検出する通話相手情報検出手段と、
この通話相手情報検出手段にて検出した通話相手情報を前記通話中の電話端末の表示手段に表示させる表示制御手段と、
この通話中の電話端末からの所定操作を検出すると、この通話中の電話端末の表示手段に表示中の通話相手情報を電話端末単位で記憶手段に記憶させる記憶制御手段とを有することを特徴とする電話交換システム。
【請求項２】
前記記憶制御手段は、
前記電話端末単位で通話相手情報を記憶手段に記憶させる際に、前記通話中の電話端末の表示手段に表示中の通話相手情報が前記記憶手段内にあるか否かを判定する記憶判定手段と、
この記憶判定手段にて前記記憶手段内にあると判定されると、現在通話中の通話相手情報を前記記憶手段に記憶済みの通話相手情報に上書きする上書き手段とを有することを特徴とする請求項１記載の電話交換システム。
【請求項３】
前記記憶制御手段は、
前記電話端末からの表示操作を検出すると、この電話端末に関わる通話相手情報を前記記憶手段から読み出すと共に、
前記表示制御手段は、
前記記憶制御手段にて読み出した通話相手情報を、前記表示操作をした電話端末の表示手段に表示させることを特徴とする請求項１又は２記載の電話交換システム。
【請求項４】
前記表示手段に表示中の通話相手情報に関わる発信操作を検出すると、この通話相手情報に基づいて発信動作を実行する発信制御手段を有することを特徴とする請求項１、２又は３記載の電話交換システム。
【請求項５】
前記電話交換機は、
前記通話相手情報検出手段、前記表示制御手段、前記記憶制御手段及び前記記憶手段を有することを特徴とする請求項１、２、３又は４記載の電話交換システム。
【請求項６】
前記電話端末は、
前記記憶制御手段及び前記記憶手段を有することを特徴とする請求項１、２、３又は４記載の電話交換システム。
【請求項７】
表示手段を備えた電話端末と、この電話端末を収容接続する電話交換機とを有する電話交換システムであって、
前記電話交換機を通じて、前記電話端末にて着信中の通話相手情報である発信者番号を検出する通話相手情報検出手段と、
この通話相手情報検出手段にて検出した発信者番号を前記着信中の電話端末の表示手段に表示させる表示制御手段と、
この着信中の電話端末からの所定操作を検出すると、この着信中の電話端末の表示手段に表示中の発信者番号を電話端末単位で記憶手段に記憶させる記憶制御手段とを有することを特徴とする電話交換システム。
【発明の詳細な説明】
【０００１】
【発明の属する技術分野】
本発明は、表示機能を備えた電話端末等の多機能電話機と、この多機能電話機を収容接続する電話交換機とを有する電話交換システムに関する。
【０００２】
【従来の技術】
従来、このような電話交換システムとしては、表示部を備えた多機能電話機と、この多機能電話機を収容接続する電話交換機とを有し、この電話交換機を制御する情報処理装置は、多機能電話機への着信を検出すると、この着信に関わる発信者番号を検出し、この発信者番号や内線番号等及び着信日時等を履歴情報として、内部の履歴テーブルに自動的に記憶するものがある（例えば特許文献１参照）。
【０００３】
また、このような電話交換システムにおいては、履歴テーブルに記憶した履歴情報を検索可能とし、この検索した履歴情報を多機能電話機の表示部に表示し、この表示中の履歴情報の発信者番号に基づいて発信動作を行うものである。
【０００４】
このような電話交換システムによれば、多機能電話機への着信を検出すると、自動的に着信に関わる履歴情報を履歴テーブルに記憶するようにしたので、多機能電話機のユーザは、表示画面上で着信履歴を視覚的に認識することができる。
【０００５】
【特許文献１】
特開平５−２４４２８６号公報（第１−３頁、第１−３図）
【０００６】
【発明が解決しようとする課題】
しかしながら、上記従来の電話交換システムによれば、電話交換機を通じて多機能電話機への着信を検出すると、この着信に関わる履歴情報を履歴テーブルに自動的に記憶するようにしたが、記憶する必要もない不必要な履歴情報までも記憶してしまうことになり、その結果、履歴テーブルの記憶可能件数を超えてしまうと、それ以前に記憶した履歴情報が勝手に削除されてしまうといった事態も考えられる。
【０００７】
本発明は上記点に鑑みてなされたものであり、その目的とするところは、不必要な履歴情報、例えば通話相手情報を記憶することなく、ユーザの意思に基づいて必要な通話相手情報のみを記憶し、この記憶した通話相手情報が勝手に削除されてしまうような事態を確実に防止することができる電話交換システムを提供することにある。
【０００８】
【課題を解決するための手段】
上記目的を達成するために本発明の電話交換システムは、表示手段を備えた電話端末と、この電話端末を収容接続する電話交換機とを有する電話交換システムであって、前記電話交換機を通じて、前記電話端末にて通話中の通話相手情報を検出する通話相手情報検出手段と、この通話相手情報検出手段にて検出した通話相手情報を前記通話中の電話端末の表示手段に表示させる表示制御手段と、この通話中の電話端末からの所定操作を検出すると、この通話中の電話端末の表示手段に表示中の通話相手情報を電話端末単位で記憶手段に記憶させる記憶制御手段とを有するようにした。
【０００９】
従って、本発明の電話交換システムによれば、電話交換機を通じて、電話端末にて通話中の通話相手情報を検出すると、この検出した通話相手情報を通話中の電話端末の表示手段に表示させ、この通話中の電話端末からの所定操作を検出すると、この通話中の電話端末の表示手段に表示中の通話相手情報を電話端末単位で記憶手段に記憶させるようにしたので、不必要な通話相手情報を記憶することなく、ユーザの意思に基づいて必要な通話相手情報のみを記憶し、この記憶した通話相手情報が勝手に削除されてしまうような事態を確実に防止することができる。尚、通話相手情報を記憶手段に記憶させる際に現在日時も併せて記憶することで、これら通話相手情報及び現在日時を履歴情報として記憶することができる。
【００１０】
本発明の電話交換システムは、前記記憶制御手段が、前記電話端末単位で通話相手情報を記憶手段に記憶させる際に、前記通話中の電話端末の表示手段に表示中の通話相手情報が前記記憶手段内にあるか否かを判定する記憶判定手段と、この記憶判定手段にて前記記憶手段内にあると判定されると、現在通話中の通話相手情報を、前記記憶手段に記憶済みの通話相手情報に上書きする上書き手段とを有するようにした。
【００１１】
従って、本発明の電話交換システムによれば、電話端末単位で通話相手情報を記憶手段に記憶させる際に、表示手段に表示中の通話相手情報が記憶手段内にあると判定されると、現在通話中の通話相手情報を、前記記憶手段に記憶済みの通話相手情報に上書きするようにしたので、同一通話相手情報の重複登録を防止することで、記憶手段の記憶容量を有効的に活用することができる。
【００１２】
本発明の電話交換システムは、前記記憶制御手段が、前記電話端末からの表示操作を検出すると、この電話端末に関わる通話相手情報を前記記憶手段から読み出すと共に、前記表示制御手段は、前記記憶制御手段にて読み出した通話相手情報を、前記表示操作をした電話端末の表示手段に表示させるようにした。
【００１３】
従って、本発明の電話交換システムによれば、電話端末からの表示操作を検出すると、この電話端末に関わる通話相手情報を記憶手段から読み出し、この読み出した通話相手情報を、表示操作した電話端末の表示手段に表示させるようにしたので、電話端末のユーザは、簡単な操作で同電話端末に関わる記憶済みの通話相手情報を表示画面上で認識することができる。
【００１４】
本発明の電話交換システムは、前記表示手段に表示中の通話相手情報に関わる発信操作を検出すると、この通話相手情報に基づいて発信動作を実行する発信制御手段を有するようにした。
【００１５】
従って、本発明の電話交換システムによれば、表示手段に表示中の通話相手情報に関わる発信操作を検出すると、この通話相手情報に基づいて発信動作を実行するようにしたので、電話端末のユーザは、簡単な操作で記憶済みの通話相手情報に対して発信することができる。
【００１６】
本発明の電話交換システムは、前記電話交換機が、前記通話相手情報検出手段、前記表示制御手段、前記記憶制御手段及び前記記憶手段を有するようにした。
【００１７】
従って、本発明の電話交換システムによれば、電話交換機側に通話相手情報検出手段、表示制御手段、記憶制御手段及び記憶手段を備えるようにしたので、電話端末側の負担を大幅に軽減することができる。
【００１８】
本発明の電話交換システムは、前記電話端末が、前記記憶制御手段及び前記記憶手段を有するようにした。
【００１９】
従って、本発明の電話交換システムによれば、電話端末側に記憶制御手段及び記憶手段を備えるようにしたので、通話相手情報の記憶手段に関わる記憶及び読出制御を電話端末に分担させることで、電話交換機の負担を大幅に軽減することができる。
【００２０】
本発明の電話交換システムは、表示手段を備えた電話端末と、この電話端末を収容接続する電話交換機とを有する電話交換システムであって、前記電話交換機を通じて、前記電話端末にて着信中の通話相手情報を検出する通話相手情報検出手段と、この通話相手情報検出手段にて検出した通話相手情報を前記着信中の電話端末の表示手段に表示させる表示制御手段と、この着信中の電話端末からの所定操作を検出すると、この着信中の電話端末の表示手段に表示中の通話相手情報を電話端末単位で記憶手段に記憶させる記憶制御手段とを有するようにした。
【００２１】
従って、本発明の電話交換システムによれば、電話交換機を通じて電話端末に着信中の通話相手情報を検出すると、この通話相手情報を着信中の電話端末の表示手段に表示させ、この着信中の電話端末からの所定操作を検出すると、この表示手段に表示中の通話相手情報を電話端末単位で記憶手段に記憶させるようにしたので、不必要な通話相手情報を記憶することなく、ユーザの意思に基づいて必要な通話相手情報のみを記憶し、この記憶した通話相手情報が勝手に削除されてしまうような事態を確実に防止することができる。
【００２２】
【発明の実施の形態】
以下、図面に基づいて本発明の実施の形態を示す電話交換システムについて説明する。図１は本実施の形態を示す電話交換システム内部の概略構成を示すブロック図である。
【００２３】
図１に示す電話交換システム１は、多機能電話機（以下、単にＭＦＴと称する）１１と、電話機１２と、これらＭＦＴ１１及び電話機１２を収容接続すると共に、他の他局電話交換機１３及び公衆網１４と通信接続する電話交換機（以下、単にＰＢＸと称する）２０とを有している。
【００２４】
ＰＢＸ２０は、ＭＦＴ１１との制御インタフェースを司る多機能電話機制御ボード（以下、単にＭＴＬと称する）２１と、他局電話交換機１３との通信インタフェースを司る専用線トランク制御ボード（以下、単にＰＶＴと称する）２２と、公衆網１４との通信インタフェースを司る局線トランク制御ボード（以下、単にＣＯＴと称する）２３と、電話機１２との制御インタフェースを司る内線回路制御ボード（以下、単にＬＩＮと称する）２４と、これらＭＴＬ２１、ＰＶＴ２２、ＣＯＴ２３及びＬＩＮ２４間の通話路を形成する通話路スイッチ（以下、単にＴＳＷと称する）２５と、交換動作制御プログラム等の各種プログラムや内線データや局データ等の各種データを記憶管理する記憶装置（以下、単にＭＥＭと称する）２６と、このＰＢＸ２０全体を制御する中央制御装置（以下、単にＣＰＵと称する）２７とを有している。
【００２５】
ＭＴＬ２１は、ＭＦＴ１１の発呼情報(着信情報)、ダイヤル情報、切断情報等の各種情報をＣＰＵ２７に通知すると共に、ＣＰＵ２７からＭＦＴ１１を制御するランプ情報、表示情報（ＬＣＤ表示情報）、リンギング情報及び着信情報等の各種情報をＭＦＴ１１に通知するものである。
【００２６】
ＬＩＮ２４は、電話機１２の発呼情報(着信情報)、ダイヤル情報、切断情報等の各種情報をＣＰＵ２７に通知すると共に、ＣＰＵ２７から電話機１２を制御するランプ情報、表示情報（ＬＣＤ表示情報）、リンギング情報及び着信情報等の各種情報を電話機１２に通知するものである。
【００２７】
図２は本実施の形態に関わるＭＦＴ１１の外観を示す説明図、図３は同ＭＦＴ１１の機能ボタンを示す説明図である。
【００２８】
図２に示すＭＦＴ１１は、通話を行うハンドセット１１Ａと、様々な情報を液晶表示するＬＣＤ表示部１１Ｂと、様々な機能を実行する機能ボタン１１Ｃと、ダイヤル番号を入力するダイヤルボタン１１Ｄとを有している。
【００２９】
また、機能ボタン１１Ｃは、図３に示すように再ダイヤルボタン３１と、転送ボタン３２と、不在ボタン３３と、代理応答ボタン３４と、登録ボタン３５とを有している。
【００３０】
次にＭＥＭ２６で管理するテーブル内容について説明する。図４は端末管理テーブル、図５は履歴登録テーブル、図６はトランク管理テーブル、図７は表示カウンタテーブルのテーブル内容を示す説明図である。
【００３１】
図４に示す端末管理テーブル４１は、例えばＭＦＴ１１や電話機１２等の電話端末単位で管理し、端末種別４１Ａと、後述する履歴登録テーブル４２の使用領域を識別する履歴登録テーブル番号４１Ｂとを有している。尚、端末種別とは、ＭＦＴ１１又は電話機１２等の端末種別を識別する他に、ＬＣＤ表示部を備えたＭＦＴ１１又は電話機１２であるか否かを識別するデータである。
【００３２】
図５に示す履歴登録テーブル４２は、電話端末単位で最大ｎ件までの履歴情報を登録可能（記憶可能）としている。履歴情報は、履歴情報のヘッダである受付インデックス値４２Ａと、履歴情報の登録日時の月を示す登録月４２Ｂと、日を示す登録日４２Ｃと、時を示す登録時４２Ｄと、分を示す登録分４２Ｅと、通話相手の電話番号やキャラクタ情報等を示す通話相手情報４２Ｆとを有している。尚、受付インデックス値４２Ａは“１”〜“ｎ”あり、例えば最も古い履歴情報から順次に登録されているものとする。
【００３３】
例えば１１月２９日１５時３３分に“０１２３４５６７８９”の通話相手情報を登録する場合、例えば第１番目の受付インデックス値４２Ａの“１”の登録月４２Ｂに“１１”、登録日４２Ｃに“２９”、登録時４２Ｄに“１５”、登録分４２Ｅに“３３”、通話相手情報４２Ｆに“０１２３４５６７８９”が登録されることになる。
【００３４】
図６に示すトランク管理テーブル４３は、ＰＶＴ２２やＣＯＴ２３毎に、同トランクの回線状態及び回線使用電話端末の電話番号、例えば発信者番号及び着信者番号等を含む回線状態情報４３Ａを管理しているものとする。
【００３５】
図７に示す表示カウンタテーブル４４は、例えばＭＦＴ１１のＬＣＤ表示部１１Ｂには最大ｎ件の履歴情報からＭＦＴ１１の表示操作で択一的に表示するため、ＭＦＴ１１毎に、その表示操作回数を表示カウンタ値４４Ａとして管理しているものとする。
【００３６】
尚、例えば受付インデックス値４２Ａの“１”〜“ｎ”までの履歴情報が登録済みの場合で表示カウンタ値４４Ａが“１”となると、第１番目の受付インデックス値４２Ａの“１”の履歴情報をＬＣＤ表示部１１Ｂに表示し、表示カウンタ値４４Ａが“ｎ”となると、第ｎ番目の受付インデックス値４２Ａの“ｎ”の履歴情報をＬＣＤ表示部１１Ｂに表示するものである。また、表示カウンタ値４４Ａが“ｎ”を超えると、第１番目の受付インデックス値４２Ａの履歴情報をＬＣＤ表示部１１Ｂに表示するものである。
【００３７】
次に本実施の形態に関わるＰＢＸ２０内部のＣＰＵ２７について説明する。図８は同ＣＰＵ２７内部の概略構成を示すブロック図である。
【００３８】
図８に示すＣＰＵ２７は、ＭＴＬ２１との通信インタフェースを司るＭＴＬ通信インタフェース部５１と、通話相手情報を検出する通話相手情報検出部５２と、ＭＴＬ通信インタフェース部５１を通じて各ＭＦＴ１１のＬＣＤ表示部１１Ｂを表示制御する表示制御部５３と、ＭＥＭ２６をメモリ制御するメモリ制御部５４と、通話制御を司る通話制御部５５と、このＣＰＵ２７全体を制御する制御部５６とを有している。
【００３９】
表示制御部５３は、例えば通話相手情報検出部５２を通じて通話相手情報を検出すると、この通話相手情報を、ＭＴＬ通信インタフェース部５１を経由して通話中のＭＦＴ１１のＬＣＤ表示部１１Ｂに表示させるものである。
【００４０】
メモリ制御部５４は、通話中のＭＦＴ１１のＬＣＤ表示部１１Ｂに通話相手情報を表示している際にＭＦＴ１１の登録ボタン３５による登録操作を検出すると、このＬＣＤ表示部１１Ｂに表示中の通話相手情報をＭＥＭ２６に登録するものである。
【００４１】
また、メモリ制御部５４は、ＭＦＴ１１の表示操作を検出すると、このＭＦＴ１１に関わる履歴情報をＭＥＭ２６から読み出すものである。尚、表示操作は、ＭＦＴ１１のオンフック中における転送ボタン３２のボタン操作である。
【００４２】
さらに表示制御部５３は、メモリ制御部５４にて読み出された履歴情報を、ＭＴＬ通信インタフェース部５１を経由して、表示操作したＭＦＴ１１のＬＣＤ表示部１１Ｂに表示させるものである。
【００４３】
メモリ制御部５４は、通話中のＭＦＴ１１のＬＣＤ表示部１１Ｂに通話相手情報を表示している際にＭＦＴ１１の登録操作を検出すると、このＬＣＤ表示部１１Ｂに表示中の通話相手情報とＭＥＭ２６の履歴登録テーブル４２に登録済みの同ＭＦＴ１１に関わる履歴情報の通話相手情報とが同一であるか否かを判定するメモリ判定手段５４Ａを有している。
【００４４】
尚、メモリ制御部５４は、メモリ判定部５４Ａにて同一の通話相手情報があると判定されると、ＬＣＤ表示部１１Ｂに表示中の通話相手情報と同一の通話相手情報に関わる、履歴登録テーブル４２に登録済みの履歴情報を上書き登録するものである。
【００４５】
次に本実施の形態に関わるＭＦＴ１１のＬＣＤ表示部１１Ｂの表示内容について説明する。図９はＬＣＤ表示部１１Ｂの表示内容を示す説明図である。
【００４６】
図９（ａ）に示すＭＦＴ１１の表示画面は、オンフック中の待受画面６０Ａであり、自己の内線番号６０Ｂと、現在日時６０Ｃとを画面表示している。
【００４７】
図９（ｂ）に示す表示画面は、発信者番号非通知の通話相手に対する通話中画面６１Ａであり、自己の内線番号６１Ｂと、現在日時６１Ｃとを画面表示している。
【００４８】
図９（ｃ）に示す表示画面は、発信者番号通知の通話相手に対する通話中画面６２Ａであり、通話相手情報である発信者番号６２Ｂと、自己の内線番号６２Ｃと、現在日時６２Ｄとを画面表示している。
【００４９】
図９（ｄ）に示す表示画面は、通話中画面で表示中の通話相手情報におけるＭＥＭ２６への登録が完了したことを示す登録完了画面６３Ａであり、通話相手情報である発信者番号６３Ｂと、自己の内線番号６３Ｃと、現在日時６３Ｄとを画面表示している。
【００５０】
図９（ｅ）に示す表示画面は、通話中画面で表示中の通話相手情報におけるＭＥＭ２６への登録ができなかったことを示すエラー画面６４Ａであり、エラーメッセージ６４Ｂと、自己の内線番号６４Ｃと、現在日時６４Ｄとを画面表示している。
【００５１】
図９（ｆ）に示す表示画面は、ＭＦＴ１１に関わる登録済みの通話相手情報を含む履歴情報を表示する履歴情報表示画面６５Ａであり、自己の内線番号６５Ｂと、通話相手情報である発信者番号６５Ｃと、通話情報を登録した日時を示す登録日時６５Ｄと、現在日時６５Ｅとを画面表示している。尚、履歴情報表示画面６５Ａを表示中にＭＦＴ１１からの表示操作を検出すると、図９（ｇ）のような次の履歴情報画面６５Ａが表示されることになる。
【００５２】
尚、請求項記載の電話端末は、例えばＭＦＴ１１、表示手段はＬＣＤ表示部１１Ｂ、電話交換機はＰＢＸ２０、記憶手段はＭＥＭ２６、通話相手情報検出手段は通話相手情報検出部５２、表示制御手段は表示制御部５３、記憶制御手段及び上書き手段はメモリ制御部５４、記憶判定手段はメモリ判定部５４Ａ、発信制御手段は通話制御部５５に相当するものである。
【００５３】
次に本実施の形態を示す電話交換システム１の動作について説明する。図１０は通話相手情報登録処理に関わるＰＢＸ２０内部のＣＰＵ２７の処理動作を示すフローチャートである。
【００５４】
図１０に示す通話相手情報登録処理とは、電話端末、例えばＭＦＴ１１にて通話中の通話相手情報（通話相手の電話番号）をＬＣＤ表示部１１Ｂに表示中に、このＭＦＴ１１の登録操作を検出すると、この表示中の通話相手情報をＭＦＴ１１の履歴情報としてＭＥＭ２６の履歴登録テーブル４２に登録する処理である。尚、登録操作は、ＭＦＴ１１の登録ボタン３５のボタン操作に相当するものである。
【００５５】
ＣＰＵ２７は、ＭＦＴ１１の通話中で、かつ通話相手情報を表示中に登録操作を検出すると、図１０に示す通話相手情報登録処理の起動を開始する。
【００５６】
図１０においてＣＰＵ２７のメモリ制御部５４は、ＭＥＭ２６の端末管理テーブル４１を参照することで（ステップＳ１１）、端末管理テーブル４１から同登録操作が検出された電話端末の端末種別を抽出する（ステップＳ１２）。
【００５７】
メモリ制御部５４は、この電話端末の端末種別に基づいて、この電話端末が通話相手情報を登録可能とする電話端末であるか否かを判定する（ステップＳ１３）。尚、登録可能端末とは、例えばＬＣＤ表示部を備えた電話端末、例えばＬＣＤ表示部１１Ｂを備えたＭＦＴ１１に相当するものである。
【００５８】
メモリ制御部５４は、同電話端末が通話相手情報を登録可能とする電話端末、例えばＭＦＴ１１であると判定されると、ＭＥＭ２６のトランク管理テーブル４３を参照する（ステップＳ１４）。
【００５９】
メモリ制御部５４は、トランク管理テーブル４３を参照することで、同ＭＦＴ１１が現在通話に使用中のＰＶＴ２２に関わる回線状態情報４３Ａを抽出する（ステップＳ１５）。
【００６０】
メモリ制御部５４は、回線状態情報４３Ａを抽出すると、この回線状態情報４３ＡにＭＦＴ１１の通話相手情報が含まれているか否かを判定する（ステップＳ１６）。
【００６１】
メモリ制御部５４は、回線状態情報４３Ａに通話相手情報が含まれているのであれば、ステップＳ１１にて参照した端末管理テーブル４１から該当ＭＦＴ１１の履歴登録テーブル番号４１Ｂを抽出する（ステップＳ１７）。
【００６２】
メモリ制御部５４は、該当ＭＦＴ１１の履歴登録テーブル番号４１Ｂを抽出すると、この履歴登録テーブル番号４１Ｂに対応した履歴登録テーブル４２を参照し（ステップＳ１８）、この履歴登録テーブル４２内の第１番目の受付インデックス値４２Ａである“１”を抽出する（ステップＳ１９）。
【００６３】
メモリ制御部５４は、履歴登録テーブル４２から第１番目の受付インデックス値４２Ａである“１”に対応した履歴情報の通話相手情報に関わる検索動作を実行し（ステップＳ２０）、通話相手情報があるか否かを判定する（ステップＳ２１）。
【００６４】
メモリ制御部５４は、通話相手情報があると判定されると、この通話相手情報と現在通話中の通話相手情報との比較動作を実行し（ステップＳ２２）、その比較結果が不一致であるか否かを判定する（ステップＳ２３）。
【００６５】
メモリ制御部５４は、その比較結果が不一致であると判定されると、次の受付インデックス値４２Ａを抽出すべく、現在の受付インデックス値４２Ａに＋１インクリメントし（ステップＳ２４）、この受付インデックス値４２Ａが最大値ｎを超えたか否かを判定する（ステップＳ２５）。尚、最大値ｎとは、電話端末毎の受付インデックス値４２Ａの最大件数である。
【００６６】
メモリ制御部５４は、受付インデックス値４２Ａが最大値ｎを超えたと判定されると、履歴登録テーブル４２に関わる同ＭＦＴ１１の現在登録可能件数が満杯であると判断し、新たな空き領域を確保すべく、第１番目の受付インデックス値４２Ａである“１”に対応した履歴情報を削除する（ステップＳ２６）。尚、第１番目の受付インデックス値４２Ａである“１”に対応した履歴情報を削除したのは、第１番目の受付インデックス値４２Ａである“１”が最も古い履歴情報としているためである。
【００６７】
メモリ制御部５４は、第１番目の受付インデックス値４２Ａである“１”に対応した履歴情報を削除すると、第２番目以降の受付インデックス値４２Ａである“２”〜“ｎ”に対応した履歴情報を夫々抽出し（ステップＳ２７）、この抽出した履歴情報をスライド登録する（ステップＳ２８）。
【００６８】
尚、スライド登録とは、第１番目の受付インデックス値４２Ａである“１”に対応した履歴情報が削除されることで、第２番目以降の受付インデックス値４２Ａである“２”〜“ｎ”に対応した履歴情報を順次繰り上げ登録するものであり、例えば第１番目の受付インデックス値４２Ａに対応した履歴情報が削除することで、第１番目の受付インデックス値４２Ａに第２番目の受付インデックス値４２Ａに対応した履歴情報が登録されることになる。
【００６９】
制御部５６は、内蔵時計に基づいて現在日時を検出する（ステップＳ２９）。メモリ制御部５４は、空き領域の受付インデックス値４２Ａに対応した登録月４２Ｂ、登録日４２Ｃ、登録時４２Ｄ及び登録分４２Ｅに現在日時を登録し（ステップＳ３０）、さらに、この現在日時を登録した受付インデックス値４２Ａに対応した通話相手情報４２ＦにＬＣＤ表示部１１Ｂに表示中の通話相手情報を登録し（ステップＳ３１）、図９(ｄ)に示す登録完了画面をＬＣＤ表示部１１Ｂに表示することで、この処理動作を終了する。
【００７０】
従って、ステップＳ３０及びステップＳ３１にてＭＦＴ１１で通話中の履歴情報を履歴登録テーブル４２の受付インデックス値に対応した空き領域に登録されることになる。
【００７１】
また、ステップＳ２５にて受付インデックス値４２Ａが最大値ｎを超えたのでなければ、ステップＳ２４にて＋１インクリメントした受付インデックス値４２Ａに対応した通話相手情報の検索動作を実行すべく、ステップＳ２０に移行する。
【００７２】
ステップＳ１３にて通話中の電話端末が登録可能端末でなければ、又はステップＳ１６にて通話相手情報がなければ、この処理動作を終了し、そのまま通話を継続することになる。
【００７３】
また、ステップＳ２１にて該当受付インデックス値４２Ａに対応した通話相手情報がなければ、この受付インデックス値４２Ａが空き領域であると判断し、現在日時を検出すべく、図中のＭ１に移行する。
【００７４】
また、制御部５６は、ステップＳ２３にて不一致でないと判定されると、現在通話中の通話相手情報と同ＭＦＴ１１に表示中の履歴情報に含まれる通話相手情報とが一致しているものと判断し、内蔵時計に基づいて現在日時を検出する（ステップＳ３２）。
【００７５】
メモリ制御部５４は、この一致している通話相手情報に関わる履歴登録テーブル４２に登録済みの履歴情報の登録日時をステップＳ３２にて検出した現在日時に上書きし（ステップＳ３３）、図９（ｄ）に示す登録完了画面をＬＣＤ表示部１１Ｂに表示することで、この処理動作を終了し、そのまま通話継続することになる。
【００７６】
尚、履歴登録テーブル４２への通話相手情報の登録が完了した後、ＭＦＴ１１の通話が完了すると、図９（ｆ）に示す履歴情報表示画面６５ＡをＬＣＤ表示部１１Ｂに表示すると共に、転送ボタン３２に対応したＬＥＤを点滅することで、ＭＦＴ１１のユーザは、履歴情報の登録が完了したことを認識することができる。
【００７７】
図１０に示す通話相手情報登録処理によれば、ＭＦＴ１１のＬＣＤ表示部１１Ｂに通話中の通話相手情報を表示するようにしたが、ＭＦＴ１１から登録操作を検出すると、ＬＣＤ表示部１１Ｂに表示中の通話相手情報を現在日時と併せて履歴情報として該当ＭＦＴ１１に対応するＭＥＭ２６の履歴登録テーブル４２に登録するようにしたので、不必要な履歴情報を登録することなく、ユーザの意思に基づいて必要な履歴情報のみを登録し、この登録した履歴情報が勝手に削除されてしまうような事態を確実に防止することができる。
【００７８】
次に通話相手情報表示処理について説明する。図１１は通話相手情報表示処理に関わるＣＰＵ２７の処理動作を示すフローチャートである。
【００７９】
図１１に示す通話相手情報表示処理とは、電話端末、例えばＭＦＴ１１の表示操作を検出すると、同ＭＦＴ１１のＬＣＤ表示部１１Ｂに同ＭＦＴ１１の履歴登録テーブル４２に登録した履歴情報を表示する処理である。尚、表示操作は、ＭＦＴ１１のオンフック中における転送ボタン３２のボタン操作に相当し、ボタン操作回数をカウントし、このカウントしたボタン操作回数を表示カウンタ値４４Ａとして表示カウンタテーブル４４に記憶するものである。
【００８０】
ＣＰＵ２７は、ＭＦＴ１１からの表示操作を検出すると、図１１に示す通話相手情報表示処理の起動を開始するものである。
【００８１】
図１１においてＣＰＵ２７のメモリ制御部５４は、ＭＥＭ２６内の端末管理テーブル４１を参照する（ステップＳ４１）。
【００８２】
メモリ制御部５４は、端末管理テーブル４１を参照すると、この端末管理テーブル４１内から同表示操作したＭＦＴ１１の履歴登録テーブル番号４１Ｂを抽出する（ステップＳ４２）。
【００８３】
メモリ制御部５４は、同履歴登録テーブル番号４１Ｂを抽出すると、この履歴登録テーブル番号４１Ｂに対応した履歴登録テーブル４２をＭＥＭ２６から参照する（ステップＳ４３）。
【００８４】
メモリ制御部５４は、履歴登録テーブル４２を参照すると、この履歴登録テーブル４２から同ＭＦＴ１１の受付インデックス値４２Ａを抽出する（ステップＳ４４）。
【００８５】
ＭＴＬ通信インタフェース部５１は、図７の表示カウンタテーブル４４を参照することで（ステップＳ４５）、この表示カウンタテーブル４４から同ＭＦＴ１１の表示カウンタ値４４Ａを抽出する（ステップＳ４６）。尚、この表示カウンタ値４４Ａがボタン操作回数に相当するものである。
【００８６】
メモリ制御部５４は、この抽出した表示カウンタ値４４Ａが最大値ｎを超えたか否かを判定する（ステップＳ４７）。尚、表示カウンタ値４４Ａが“１”であれば、第１番目の受付インデックス値４２Ａである“１”に対応した履歴情報を表示対象とし、表示カウンタ値４２Ａが“ｎ”であれば、第ｎ番目の受付インデックス値４２Ａである“ｎ”に対応した履歴情報を表示対象とするものである。
【００８７】
メモリ制御部５４は、この抽出した表示カウンタ値４４Ａが最大値ｎを超えたのであれば、表示カウンタ値４４Ａを初期化、例えば“１”にする（ステップＳ４８）。
【００８８】
メモリ制御部５４は、ステップＳ４８にて表示カウンタ値４４Ａが“１”又は、ステップＳ４７にて表示カウンタ値４４Ａが最大値ｎを超えたのでなければ、現在の表示カウンタ値４４Ａに対応する受付インデックス値４２Ａの通話相手情報の検索動作を開始する（ステップＳ４９）。
【００８９】
メモリ制御部５４は、この受付インデックス値４２Ａに対応する通話相手情報があるか否かを判定する（ステップＳ５０）。表示制御部５５は、受付インデックス値４２Ａに対応した通話相手情報があると判定されると、この受付インデックス値４２Ａに対応した通話相手情報を同ＭＦＴ１１のＬＣＤ表示部１１Ｂに表示させるべく、ＭＴＬ通信インタフェース部５１を通じてＭＦＴ１１を表示制御することで（ステップＳ５１）、この処理動作を終了する。
【００９０】
また、表示制御部５５は、ステップＳ５０にて通話相手情報がないと判定されると、通話相手情報が無い旨をＬＣＤ表示部１１Ｂに表示させるべく、ＭＴＬ通信インタフェース部５１を通じてＭＦＴ１１のＬＣＤ表示部１１Ｂを表示制御することで（ステップＳ５２）、この処理動作を終了する。
【００９１】
図１１に示す通話相手情報表示処理によれば、ＭＦＴ１１からの表示操作を検出すると、同ＭＦＴ１１に関わる履歴情報をＭＥＭ２６の履歴登録テーブル４２から検索し、この検索した履歴情報を同ＭＦＴ１１のＬＣＤ表示部１１Ｂに表示させるようにしたので、簡単な操作で所望の履歴情報を表示画面上で認識することができる。
【００９２】
次に通話相手情報削除処理について説明する。図１２は通話相手情報削除処理に関わるＣＰＵ２７の処理動作を示すフローチャートである。
【００９３】
図１２に示す通話相手情報削除処理とは、ＭＦＴ１１からの削除操作を検出すると、同ＭＦＴ１１に関わる履歴情報をＭＥＭ２６の履歴登録テーブル４２から削除する処理である。尚、削除操作とは、ＭＦＴ１１のＬＣＤ表示部１１Ｂに履歴情報を表示しているときの不在ボタン３３のボタン操作、又はＬＣＤ表示部１１Ｂに表示中の履歴情報に基づく、後述するワンタッチ発信処理の相手先の応答動作に相当するものである。
【００９４】
ＣＰＵ２７は、ＭＦＴ１１からの削除操作を検出すると、通話相手情報削除処理を起動するものである。
【００９５】
図１２においてＣＰＵ２７のメモリ制御部５４は、ＭＦＴ１１からの削除操作を検出すると、この削除操作したＭＦＴ１１の端末管理テーブル４１を参照する（ステップＳ６１）。
【００９６】
メモリ制御部５４は、端末管理テーブル４１から同ＭＦＴ１１の履歴登録テーブル番号４１Ｂを抽出する（ステップＳ６２）。
【００９７】
メモリ制御部５４は、履歴登録テーブル番号４１Ｂを抽出すると、この履歴登録テーブル番号４１Ｂに対応した履歴登録テーブル４２を参照すると（ステップＳ６３）、この履歴登録テーブル４２から該当ＭＦＴ１１の受付インデックス値４２Ａを抽出する（ステップＳ６４）。
【００９８】
メモリ制御部５４は、同ＭＦＴ１１の表示カウンタテーブル４４を参照し（ステップＳ６５）、この表示カウンタテーブル４４から表示カウンタ値４４Ａを抽出する（ステップＳ６６）。
【００９９】
メモリ制御部５４は、表示カウンタ値４４Ａが最大値ｎを超えたか否かを判定する（ステップＳ６７）。メモリ制御部５４は、表示カウンタ値４４Ａが最大値ｎを超えたのであれば、表示カウンタ値４４Ａを初期値、例えば“１”に設定する（ステップＳ６８）。
【０１００】
メモリ制御部５４は、現在の表示カウンタ値４４Ａに対応する受付インデックス値４２Ａの履歴情報を履歴登録テーブル４２から削除することで（ステップＳ６９）、この受付インデックス値４２Ａを−１デクリメントし（ステップＳ７０）、この受付インデックス値４２Ａが０となったか否かを判定する（ステップＳ７１）。
【０１０１】
メモリ制御部５４は、受付インデックス値４２Ａが“０”となると、この表示カウンタ値４４Ａに対応した受付インデックス値４２Ａ以降の履歴情報をスライド登録し（ステップＳ７２）、受付インデックス値４２Ａを登録することで（ステップＳ７３）、この処理動作を終了する。
【０１０２】
図１２に示す通話相手情報削除処理によれば、ＭＦＴ１１からの削除操作を検出すると、同ＭＦＴ１１の履歴情報をＭＥＭ２６の履歴登録テーブル４２から削除するようにしたので、簡単な操作で履歴情報を削除することができる。
【０１０３】
次にワンタッチ発信処理について説明する。図１３はワンタッチ発信処理に関わるＣＰＵ２７の処理動作を示すフローチャートである。
【０１０４】
図１３に示すワンタッチ発信処理とは、ＭＦＴ１１のＬＣＤ表示部１１Ｂにて履歴情報を表示中に、発信操作を検出すると、この表示中の履歴情報に基づいて発信動作を実行する処理である。尚、発信操作とは、例えば通話相手情報表示処理にてＬＣＤ表示部１１Ｂに履歴情報を表示中におけるオフフック操作に相当するものである。
【０１０５】
図１３においてＣＰＵ２７のメモリ制御部５４は、ＭＦＴ１１からの発信操作を検出すると、同ＭＦＴ１１が発信に使用するトランクの回線状態情報を監視すべく、トランク管理テーブル４３を参照する（ステップＳ８１）。
【０１０６】
さらに、メモリ制御部５４は、ＭＥＭ２６の端末管理テーブル４１を参照し（ステップＳ８２）、この端末管理テーブル４１から発信操作に関わるＭＦＴ１１の履歴登録テーブル番号４１Ｂを抽出する（ステップＳ８３）。
【０１０７】
メモリ制御部５４は、この抽出した履歴登録テーブル番号４１Ｂに対応する履歴登録テーブル４２を参照する（ステップＳ８４）。さらに、メモリ制御部５４は、同ＭＦＴ１１の表示カウンタテーブル４４を参照し（ステップＳ８５）、この表示カウンタテーブル４４から表示カウンタ値４４Ａを抽出する（ステップＳ８６）。
【０１０８】
メモリ制御部５４は、この抽出した表示カウンタ値４４Ａが最大値ｎを超えたか否かを判定する（ステップＳ８７）。表示カウンタ値４４Ａが最大値ｎを超えたのであれば、表示カウンタ値４４Ａを初期値、例えば“１”に設定する（ステップＳ８８）。
【０１０９】
メモリ制御部５４は、ステップＳ８８にて表示カウンタ値４４Ａが“１”又は、ステップＳ８７にて表示カウンタ値４４Ａが最大値ｎを超えたのでなければ、この表示カウンタ値４４Ａに対応する受付インデックス値４２Ａの通話相手情報の検索動作を開始する（ステップＳ８９）。
【０１１０】
メモリ制御部５４は、この受付インデックス値４２Ａに対応する通話相手情報があるか否かを判定する（ステップＳ９０）。メモリ制御部５４は、受付インデックス値４２Ａに対応した通話相手情報があると判定されると、この受付インデックス値４２Ａの通話相手情報をトランク管理テーブル４３の回線状態情報４３Ａに設定することで、同通話相手情報に基づく発信動作を実行し（ステップＳ９１）、この処理動作を終了する。
【０１１１】
また、メモリ制御部５４は、ステップＳ９０にて受付インデックス値４２Ａに対応した通話相手情報がないと判定されると、ダイヤル操作による通話相手情報をトランク管理テーブル４３の回線状態情報４３Ａに設定することで、同通話相手情報に基づく発信動作を実行し（ステップＳ９２）、この処理動作を終了する。
【０１１２】
図１３に示すワンタッチ発信処理によれば、ＭＦＴ１１のＬＣＤ表示部１１Ｂに通話相手情報を表示中に、同ＭＦＴ１１からの発信操作を検出すると、この表示中の通話相手情報に対して発信動作を実行することができる。
【０１１３】
本実施の形態によれば、ＰＢＸ２０を通じて、ＭＦＴ１１にて通話中の通話相手情報を検出すると、この検出した通話相手情報を通話中のＭＦＴ１１のＬＣＤ表示部１１Ｂに表示させ、この通話中のＭＦＴ１１からの登録操作を検出すると、この通話中のＭＦＴ１１のＬＣＤ表示部１１Ｂに表示中の通話相手情報を現在日時と併せて履歴情報としてＭＦＴ単位で履歴登録テーブル４２に登録するようにしたので、不必要な履歴情報を登録することなく、ユーザの意思に基づいて必要な履歴情報のみを登録し、この登録した履歴情報が勝手に削除されてしまうような事態を確実に防止することができる。
【０１１４】
本実施の形態によれば、ＭＦＴ単位で履歴情報を履歴登録テーブル４２に登録する際に、ＬＣＤ表示部１１Ｂに表示中の通話相手情報が履歴登録テーブル４２内にあると判定されると、この履歴登録テーブル４２に登録済みの通話相手情報を上書きするようにしたので、同一通話相手情報の重複登録を防止することで、履歴登録テーブル４２の記憶容量を有効的に活用することができる。
【０１１５】
本実施の形態によれば、ＭＦＴ１１からの表示操作を検出すると、このＭＦＴ１１に関わる履歴情報を履歴登録テーブル４２から読み出し、この読み出した履歴情報を、表示操作したＭＦＴ１１のＬＣＤ表示部１１Ｂに表示させるようにしたので、ＭＦＴ１１のユーザは、簡単な操作で同ＭＦＴ１１に関わる登録済みの通話相手情報を表示画面上で認識することができる。
【０１１６】
本実施の形態によれば、ＬＣＤ表示部１１Ｂに表示中の通話相手情報に関わる発信操作を検出すると、この通話相手情報に基づいて発信動作を実行するようにしたので、ＭＦＴ１１のユーザは、簡単な操作で記憶済みの通話相手情報に対して発信することができる。
【０１１７】
本実施の形態によれば、ＰＢＸ２０側に通話相手情報検出部５２、表示制御部５５、メモリ制御部５４及び履歴登録テーブル４２を備えるようにしたので、ＭＦＴ１１側の負担を大幅に軽減することができる。
【０１１８】
尚、このように上記実施の形態においては、ＰＢＸ２０側にメモリ制御部５４及び履歴登録テーブル４２にもたせるようにしたが、これらメモリ制御部５４及び履歴登録テーブル４２をＭＦＴ１１に持たせるようにしても良く、この場合には、通話相手情報の履歴登録テーブル４２に関わる記憶及び読出制御をＭＦＴ１１に分担させることで、ＰＢＸ２０の負担を大幅に軽減することができる。
【０１１９】
また、上記実施の形態においては、通話中に通話相手情報を含む履歴情報をＭＦＴ１１からの登録操作に応じて履歴登録テーブル４２に登録するようにしたが、通話中ではなく、例えば着信中の場合にも、ＭＦＴ１１からの登録操作に応じて履歴登録テーブル４２に登録するようにしても良く、この場合、不必要な着信情報を記憶することなく、ユーザの意思に基づいて必要な着信情報のみを記憶し、この記憶した着信情報が勝手に削除されてしまうような事態を確実に防止することができる。
【０１２０】
また、上記実施の形態においては、ワンタッチ操作で通話相手の履歴情報を履歴登録テーブル４２に登録する技術内容につき、ＭＦＴ１１を例にあげて説明したが、ＭＦＴ１１に限らず、例えばＬＣＤ表示部の表示機能を備えた電話機１２、ＰＨＳ端末、中継台等の他の端末装置に適用しても、同様の効果が得られることは言うまでもない。
【０１２１】
【発明の効果】
上記のように構成された本発明の電話交換システムによれば、電話交換機を通じて、電話端末にて通話中の通話相手情報を検出すると、この検出した通話相手情報を通話中の電話端末の表示手段に表示させ、この通話中の電話端末からの所定操作を検出すると、この通話中の電話端末の表示手段に表示中の通話相手情報を電話端末単位で記憶手段に記憶させるようにしたので、不必要な通話相手情報を記憶することなく、ユーザの意思に基づいて必要な通話相手情報のみを記憶し、この記憶した通話相手情報が勝手に削除されてしまうような事態を確実に防止することができる。
【０１２２】
尚、通話相手情報を記憶手段に記憶させる際に現在時間も併せて記憶することで、これら通話相手情報及び現在時間を履歴情報として記憶することができる。
【０１２３】
本発明の電話交換システムによれば、電話端末単位で通話相手情報を記憶手段に記憶させる際に、表示手段に表示中の通話相手情報が記憶手段内にあると判定されると、この記憶手段に記憶済みの通話相手情報を上書きするようにしたので、同一通話相手情報の重複登録を防止することで、記憶手段の記憶容量を有効的に活用することができる。
【０１２４】
本発明の電話交換システムによれば、電話端末からの表示操作を検出すると、この電話端末に関わる通話相手情報を記憶手段から読み出し、この読み出した通話相手情報を、表示操作した電話端末の表示手段に表示させるようにしたので、電話端末のユーザは、簡単な操作で同電話端末に関わる記憶済みの通話相手情報を表示画面上で認識することができる。
【０１２５】
本発明の電話交換システムによれば、表示手段に表示中の通話相手情報に関わる発信操作を検出すると、この通話相手情報に基づいて発信動作を実行するようにしたので、電話端末のユーザは、簡単な操作で記憶済みの通話相手情報に対して発信することができる。
【０１２６】
本発明の電話交換システムによれば、電話交換機側に通話相手情報検出手段、表示制御手段、記憶制御手段及び記憶手段を備えるようにしたので、電話端末側の負担を大幅に軽減することができる。
【０１２７】
本発明の電話交換システムによれば、電話端末側に記憶制御手段及び記憶手段を備えるようにしたので、通話相手情報の記憶手段に関わる記憶及び読出制御を電話端末に分担させることで、電話交換機の負担を大幅に軽減することができる。
【０１２８】
本発明の電話交換システムによれば、電話交換機を通じて電話端末に着信中の通話相手情報を検出すると、この通話相手情報を着信中の電話端末の表示手段に表示させ、この着信中の電話端末からの所定操作を検出すると、この表示手段に表示中の通話相手情報を電話端末単位で記憶手段に記憶させるようにしたので、不必要な通話相手情報を記憶することなく、ユーザの意思に基づいて必要な通話相手情報のみを記憶し、この記憶した通話相手情報が勝手に削除されてしまうような事態を確実に防止することができる。
【図面の簡単な説明】
【図１】本発明の実施の形態を示す電話交換システム内部の概略構成を示すブロック図である。
【図２】本実施の形態に関わるＭＦＴの外観構成を示す説明図である。
【図３】本実施の形態に関わるＭＦＴの機能ボタンを端的に示す説明図である。
【図４】本実施の形態に関わるＰＢＸ内部のＭＥＭの端末管理テーブルのテーブル内容を示す説明図である。
【図５】本実施の形態に関わるＰＢＸ内部のＭＥＭの履歴登録テーブルのテーブル内容を示す説明図である。
【図６】本実施の形態に関わるＰＢＸ内部のＭＥＭのトランク管理テーブルのテーブル内容を示す説明図である。
【図７】本実施の形態に関わるＰＢＸ内部のＭＥＭの表示カウンタテーブルのテーブル内容を示す説明図である。
【図８】本実施の形態に関わるＰＢＸのＣＰＵ内部の概略構成を示すブロック図である。
【図９】本実施の形態に関わるＭＦＴの表示画面を端的に示す説明図である。
【図１０】本実施の形態に関わるＰＢＸ内部の通話相手情報登録処理に関わるＣＰＵの処理動作を示すフローチャートである。
【図１１】本実施の形態に関わるＰＢＸ内部の通話相手情報表示処理に関わるＣＰＵの処理動作を示すフローチャートである。
【図１２】本実施の形態に関わるＰＢＸ内部の通話相手情報削除処理に関わるＣＰＵの処理動作を示すフローチャートである。
【図１３】本実施の形態に関わるＰＢＸ内部のワンタッチ発信処理に関わるＣＰＵの処理動作を示すフローチャートである。
【符号の説明】
１    電話交換システム
１１    ＭＦＴ(多機能電話機：電話端末)
１１Ｂ  ＬＣＤ表示部（表示手段）
２０    ＰＢＸ（電話交換機）
２６    ＭＥＭ(記憶装置：記憶手段)
２７    ＣＰＵ(中央制御装置)
５２    通話相手情報検出部(通話相手情報検出手段)
５３    表示制御部(表示制御手段)
５４    メモリ制御部(記憶制御手段、上書き手段)
５４Ａ  メモリ判定部（記憶判定手段）
５５    通話制御部（発信制御手段）
【図１】
2004194119.tif 000003
【図２】
2004194119.tif 000004
【図３】
2004194119.tif 000005
【図４】
2004194119.tif 000006
【図５】
2004194119.tif 000007
【図６】
2004194119.tif 000008
【図７】
2004194119.tif 000009
【図８】
2004194119.tif 000010
【図９】
2004194119.tif 000011
【図１０】
2004194119.tif 000012
【図１１】
2004194119.tif 000013
【図１２】
2004194119.tif 000014
【図１３】
2004194119.tif 000015